(57)【要約】【課題】カードリーダ端末がカードデータの認証結果を遅れて取得することにより利用者に違和感を生じさせることを抑制する。【解決手段】無線カードリーダシステムは、電池駆動式のカードリーダ端末と上位ホスト装置とインターフェース装置とを備える。カードリーダ端末は、通常状態と、通常状態よりも電力消費量が小さなスリープ状態で動作可能であり、通常状態において、カードデータをインターフェース装置に送信した後に、スリープ状態に移行し、スリープ状態から通常状態に一時的に復帰してインターフェース装置に対してポーリングを行うことによって、上位ホスト装置からインターフェース装置に送信された認証結果を取得し、ポーリングは、上位ホスト装置によって対象装置の作動状態が変更される時刻に対応する第１時刻よりも前の状態変更前期間におけるポーリングの頻度は、第１時刻よりも後の状態変更後期間におけるポーリングの頻度よりも低い。【選択図】図６
2019179403.tif 000002
【特許請求の範囲】
【請求項１】
無線カードリーダシステムであって、
カードに格納されている認証用のカードデータを取得する電池駆動式のカードリーダ端末と、
前記カードデータを認証し、認証結果が認証成功である場合に、対象装置の作動状態を変更する上位ホスト装置と、
前記カードリーダ端末と前記上位ホスト装置との通信を中継するインターフェース装置と、
を備え、
前記カードリーダ端末は、通常状態と、前記通常状態よりも電力消費量が小さなスリープ状態で動作可能であり、前記通常状態において、前記カードデータを前記インターフェース装置に送信した後に、前記スリープ状態に移行し、
前記カードリーダ端末は、前記スリープ状態から前記通常状態に一時的に復帰して前記インターフェース装置に対してポーリングを行うことによって、前記上位ホスト装置から前記インターフェース装置に送信された前記認証結果を取得し、
前記ポーリングは、前記上位ホスト装置によって前記対象装置の前記作動状態が変更される時刻に対応する第１時刻よりも前の状態変更前期間における前記ポーリングの頻度は、前記第１時刻よりも後の状態変更後期間における前記ポーリングの頻度よりも低い、
無線カードリーダシステム。
【請求項２】
請求項１に記載の無線カードリーダシステムにおいて、
前記上位ホスト装置は、前記カードデータの前記認証結果が認証成功である場合には、更に、認証成功結果及び前記作動状態の状態変更結果を前記インターフェース装置に送信し、前記カードデータの前記認証結果が認証失敗である場合には、前記作動状態を変更せず、認証失敗結果を前記インターフェース装置に送信する、
無線カードリーダシステム。
【請求項３】
請求項２に記載の無線カードリーダシステムにおいて、
前記インターフェース装置は、記憶部を有しており、前記上位ホスト装置から送信された前記認証結果及び前記状態変更結果を前記記憶部に記憶し、
前記インターフェース装置は、前記ポーリングを受けたときに、前記認証成功結果及び前記状態変更結果を記憶している場合には、前記認証成功結果を前記カードリーダ端末に送信し、前記認証成功結果のみを記憶している場合には、状態変更中であることを示す応答を前記カードリーダ端末に送信し、前記認証失敗結果を記憶している場合には、前記認証失敗結果を前記カードリーダ端末に送信する、
無線カードリーダシステム。
【請求項４】
請求項３に記載の無線カードリーダシステムにおいて、
前記カードリーダ端末は、前記インターフェース装置から前記状態変更中であることを示す応答を受信した後に、前記スリープ状態に移行する、
無線カードリーダシステム。
【請求項５】
請求項１から請求項４のいずれか一項に記載の無線カードリーダシステムにおいて、
前記カードリーダ端末は、前記第１時刻に前記ポーリングを行う、
無線カードリーダシステム。
【発明の詳細な説明】
【技術分野】
【０００１】
本発明は、無線カードリーダシステムに関する。
【背景技術】
【０００２】
特許文献１には、カードリーダ（カードリーダ端末）と出入制御装置とを備える出入管理システムが開示されている。
【先行技術文献】
【特許文献】
【０００３】
【特許文献１】特開２０１１−２１０２１９号公報
【発明の概要】
【発明が解決しようとする課題】
【０００４】
カードリーダ端末が電池駆動式である場合は、電力消費量をいかに削減することが問題である。更に、電力消費量の削減によるカードリーダ端末の反応遅れにより利用者に違和感を与えることを抑制することが求められる。
【課題を解決するための手段】
【０００５】
本発明は、以下の形態として実現することが可能である。
【０００６】
（１）本発明の一形態によれば、無線カードリーダシステムが提供される。この無線カードリーダシステムは、カードに格納されている認証用のカードデータを取得する電池駆動式のカードリーダ端末と、前記カードデータを認証し、認証結果が認証成功である場合に、対象装置の作動状態を変更する上位ホスト装置と、前記カードリーダ端末と前記上位ホスト装置との通信を中継するインターフェース装置と、を備える。前記カードリーダ端末は、通常状態と、前記通常状態よりも電力消費量が小さなスリープ状態で動作可能であり、前記通常状態において、前記カードデータを前記インターフェース装置に送信した後に、前記スリープ状態に移行する。前記カードリーダ端末は、前記スリープ状態から前記通常状態に一時的に復帰して前記インターフェース装置に対してポーリングを行うことによって、前記上位ホスト装置から前記インターフェース装置に送信された前記認証結果を取得する。前記ポーリングは、前記上位ホスト装置によって前記対象装置の前記作動状態が変更される時刻に対応する第１時刻よりも前の状態変更前期間における前記ポーリングの頻度は、前記第１時刻よりも後の状態変更後期間における前記ポーリングの頻度よりも低い。
この形態の無線カードリーダシステムによれば、状態変更前期間におけるポーリングの頻度が状態変更後期間におけるポーリングの頻度よりも低いので、カードリーダ端末の電力消費量を削減できる。また、利用者がカードをカードリーダ端末にかざしてから第１時刻まで待つことに違和感が生じないと思われるので、状態変更前期間におけるポーリングの頻度を減らしても利用者に違和感を生じさせる可能性が小さい。
（２）上記形態の無線カードリーダシステムにおいて、前記上位ホスト装置は、前記カードデータの前記認証結果が認証成功である場合には、更に、認証成功結果及び前記作動状態の状態変更結果を前記インターフェース装置に送信し、前記カードデータの前記認証結果が認証失敗である場合には、前記作動状態を変更せず、認証失敗結果を前記インターフェース装置に送信するようにしてもよい。
この形態の無線カードリーダシステムによれば、カードリーダ端末は認証失敗結果をインターフェース装置から受信できる。
（３）上記形態の無線カードリーダシステムにおいて、前記インターフェース装置は、記憶部を有しており、前記上位ホスト装置から送信された前記認証結果及び前記状態変更結果を前記記憶部に記憶する。前記インターフェース装置は、前記ポーリングを受けたときに、前記認証成功結果及び前記状態変更結果を記憶している場合には、前記認証成功結果を前記カードリーダ端末に送信し、前記認証成功結果のみを記憶している場合には、状態変更中であることを示す応答を前記カードリーダ端末に送信し、前記認証失敗結果を記憶している場合には、前記認証失敗結果を前記カードリーダ端末に送信するようにしてもよい。
この形態の無線カードリーダシステムによれば、インターフェース装置は認証結果と状態変更結果を記憶できるので、カードリーダ端末からポーリングがあったときにそれらの認証結果と状態変更結果をカードリーダ端末に通知できる。
（４）上記形態の無線カードリーダシステムにおいて、前記カードリーダ端末は、前記インターフェース装置から前記状態変更中であることを示す応答を受信した後に、前記スリープ状態に移行するようにしてもよい。
この形態の無線カードリーダシステムによれば、カードリーダ端末は、状態変更中である旨の応答を受信するとスリープ状態に移行するので、カードリーダ端末の電力消費量を更に節約できる。
（５）上記形態の無線カードリーダシステムにおいて、前記カードリーダ端末は、前記第１時刻に前記ポーリングを行うようにしてもよい。
この形態の無線カードリーダシステムによれば、第１時刻にカードデータの認証結果がインターフェース装置に送信される可能性が高いので、カードリーダ端末がカードデータの認証結果を取得できる確率を高めることができる。
【０００７】
本発明は、上記以外の種々の形態で実現することも可能である。例えば、電池駆動式無線カードリーダ端末等の形態で実現することができる。
【図面の簡単な説明】
【０００８】
【図１】第１実施形態における無線カードリーダシステムの概略外観図。
【図２】無線カードリーダシステムの構成を示すブロック図。
【図３】カード認証処理のシーケンス図。
【図４】カード認証処理のシーケンス図。
【図５】ポーリングの回数と認証結果取得回数との関係を示す説明図。
【図６】カードリーダ端末のポーリングの時刻を例示する図。
【図７】第２実施形態におけるポーリングの時刻を例示する図。
【発明を実施するための形態】
【０００９】
・第１実施形態：
図１は、本発明の第１実施形態における無線カードリーダシステム９００の概略外観図である。無線カードリーダシステム９００は、カードリーダ端末２００と、インターフェース装置３００と、上位ホスト装置４００とを備える。図１の例では、カード１００とカードリーダ端末２００との間、及び、カードリーダ端末２００とインターフェース装置３００とのとの間は、無線通信を行い、インターフェース装置３００と上位ホスト装置４００との間は、有線通信を行う。上位ホスト装置４００は、電気錠付き扉８００（対象装置）の作動状態、すなわち施錠状態又は解錠状態を管理する装置である。インターフェース装置３００は、カードリーダ端末２００と上位ホスト装置４００との通信を中継する装置である。カードリーダ端末２００は、電気錠付き扉８００近傍の壁Ｗに設置されており、利用者が電気錠付き扉８００を解錠するためにカード１００を用いて操作する対象である。
【００１０】
カードリーダ端末２００は、カードリーダケース２１０と、施錠ランプ２２０と、解錠ランプ２３０と、起動スイッチ２４０とを備える。図１の例では、起動スイッチ２４０を押すと、電気錠付き扉８００の施錠状態を示す施錠ランプ２２０が点灯する。なお、電気錠付き扉８００が解錠されている場合には、解錠状態を示す解錠ランプ２３０が点灯する。カードリーダ端末２００の起動後、利用者がカード１００をカードリーダケース２１０の読取領域ＲＡに近接させると、カード１００に格納されている認証用のカードデータは、カードリーダ端末２００により読み取られ、インターフェース装置３００を介して上位ホスト装置４００に送信される。上位ホスト装置４００は、当該カードデータを認証し、認証結果をインターフェース装置３００に介してカードリーダ端末２００に送信する。カードリーダ端末２００は、認証結果に応じてランプ２２０又はランプ２３０を点灯することにより電気錠付き扉８００の作動状態を利用者に通知する。なお、カードリーダ端末２００は、接触型カードリーダ端末、例えばスライド式カードリーダ端末としてもよい。
【００１１】
図２は、本発明の第１実施形態における無線カードリーダシステム９００の構成を示すブロック図である。カードリーダ端末２００は、読取部２０１と、制御部２０２と、通信部２０４と、電池２０５と、タイマー２０６とを有する。読取部２０１は、カードリーダケース２１０の読取領域ＲＡ（図１）に対応する位置に設けられ、制御部２０２からの制御信号に応じて、カード１００の認証用のカードデータを読み取る。通信部２０４は、制御部２０２からの制御信号に応じて、インターフェース装置３００との間で送受信を行う。制御部２０２は、中央処理装置を備えるマイクロコンピュータによって構成され、読取部２０１及び通信部２０４の動作を制御する。制御部２０２は、カードリーダ端末２００に、通常状態と、通常状態よりも電力消費量が小さなスリープ状態で動作させることが可能である。制御部２０２は、通信部２０４からカード１００のカードデータがインターフェース装置３００に送信された後に、カードリーダ端末２００に通常状態からスリープ状態に移行させる。制御部２０２は、タイマー２０６から発生するタイマー割込によって決められた間隔で、カードリーダ端末２００にスリープ状態から通常状態に一時的に復帰させて、インターフェース装置３００に対してポーリングを行わせる。ポーリングにより、カードリーダ端末２００は、カードデータの認証結果を取得できる。この詳細については後述する。なお、タイマー割込が発生する時刻、すなわちポーリングの時刻の設定についても後述する。なお、制御部２０２は、ランプ２２０，２３０（図１）の点灯を制御する。電池２０５は、カードリーダ端末２００の各部を駆動する電源である。要するに、カードリーダ端末２００は、電池駆動式である。
【００１２】
インターフェース装置３００は、第１通信部３０１と、制御部３０２と、記憶部３０３と、第２通信部３０４とを有する。第１通信部３０１は、制御部３０２からの制御信号に応じて、カードリーダ端末２００の通信部２０４との間で送受信を行う。第２通信部３０４は、制御部３０２からの制御信号に応じて、上位ホスト装置４００との間で送受信を行う。制御部３０２は、中央処理装置を備えるマイクロコンピュータによって構成され、第１通信部３０１及び第２通信部３０４の動作を制御する。制御部３０２は、第２通信部３０４にて受信したカードデータの認証結果や状態変更結果（後述）を記憶部３０３に記憶させる。
【００１３】
上位ホスト装置４００は、通信部４０１と、制御部４０２と、認証部４０３とを有する。通信部４０１は、制御部４０２からの制御信号に応じて、インターフェース装置３００の第２通信部３０４との間で送受信を行う。認証部４０３は、制御部４０２からの制御信号に応じて、通信部４０１にて受信したカードデータを認証する。制御部４０２は、中央処理装置を備えるマイクロコンピュータによって構成され、通信部４０１及び認証部４０３の動作を制御する。なお、制御部４０２は、認証部４０３でのカードデータの認証結果が認証成功である場合には、電気錠付き扉８００の作動状態を施錠状態から解錠状態に変更する。一方、制御部４０２は、カードデータの認証結果が認証失敗である場合には、電気錠付き扉８００の作動状態を変更しない。
【００１４】
なお、上位ホスト装置４００とインターフェース装置３００とは、無線通信を行ってもよい。また、上位ホスト装置４００とインターフェース装置３００は、電池駆動式ではなく、有線で商用電源に接続されていることが好ましい。
【００１５】
図３及び図４は、第１実施形態におけるカード認証処理の流れの一例を表すシーケンス図である。図３及び図４は、カードデータの認証結果が認証成功である例を示している。図３及び図４において、カードリーダ端末２００の通常状態を実線で示しており、スリープ状態を破線で示している。なお、図３に示すイベントＥ２１０の前に描かれている一点鎖線は、電力消費がゼロの状態を示している。
【００１６】
図３の例では、カード認証が行われる前に、上位ホスト装置４００が保有している電気錠付き扉８００の作動状態は、施錠状態である（イベントＥ４１０）。上位ホスト装置４００は、インターフェース装置３００に施錠状態ＴＣ１を送信すると、インターフェース装置３００は、施錠状態ＴＣ１を記憶部３０３（図２）に記憶する（イベントＥ３１０）。カードリーダ端末２００は、起動すると（イベントＥ２１０）、通常状態となり、インターフェース装置３００に状態要求ＲＣ１を送信する。インターフェース装置３００は、状態要求ＲＣ１を受信すると、施錠状態ＴＣ１に応じてカードリーダ端末２００に状態応答ＳＣ１を送信する。カードリーダ端末２００は、状態応答ＳＣ１に応じて施錠ランプ２２０（図１）を点灯する（イベントＥ２２０）。
【００１７】
施錠ランプ２２０点灯後、カードリーダ端末２００は、近接してきたカード１００の認証用のカードデータＴＤ１を読み取る。その後、カードリーダ端末２００は、インターフェース装置３００にカードデータＴＤ１を送信する。インターフェース装置３００は、カードデータＴＤ１を受信した後、直ちにカードリーダ端末２００に肯定応答ＡＣＫ１を送信する。この肯定応答ＡＣＫ１は、カードデータの認証のために上位ホスト装置４００と行う通信の完了（認証結果の受信）を待つことなく、インターフェース装置３００から発行されることが好ましく、特に、カードデータを上位ホスト装置４００に送信する前に発行されることが好ましい。カードリーダ端末２００は、肯定応答ＡＣＫ１を受信すると、これに応じて第１回目のスリープ状態に移行する。なお、カードリーダ端末２００は、一定時間内に肯定応答ＡＣＫ１を受信できない場合に、再度カードデータをインターフェース装置３００に送信してもよい。また、インターフェース装置３００は、カードリーダ端末２００に肯定応答ＡＣＫ１を送信しなくてもよい。この場合には、カードリーダ端末２００は、インターフェース装置３００にカードデータＴＤ１を送信した後に、インターフェース装置３００からの応答を待たずにスリープ状態に移行してもよい。
【００１８】
インターフェース装置３００は、カードリーダ端末２００に肯定応答ＡＣＫ１を送信するとともに、上位ホスト装置４００にカードデータＴＤ１を送信する。上位ホスト装置４００は、カードデータＴＤ１を受信した後、イベントＥ４２０において、カードデータＴＤ１を認証する。その後、上位ホスト装置４００は、カードデータの認証成功結果ＴＶ１をインターフェース装置３００に送信する。これとともに、上位ホスト装置４００は、イベントＥ４３０において、電気錠付き扉８００の作動状態の変更を開始、すなわち電気錠付き扉８００の解錠処理を開始する。この解錠処理は、処理が完了するまである程度の時間が必要である。電気錠付き扉８００の解錠処理が完了すると、上位ホスト装置４００は次のイベントＥ４４０（図４）に移行する。インターフェース装置３００は、認証成功結果ＴＶ１を受信した後、イベントＥ３２０において、認証成功結果ＴＶ１を記憶する。
【００１９】
一方、カードリーダ端末２００は、タイマー２０６（図２）から発生するタイマー割込ＴＰ１に応じて、第１回目のスリープ状態から通常状態に一時的に移行し、インターフェース装置３００に対して第１回目のポーリングＰＬ１を行う。この際、上位ホスト装置４００の電気錠付き扉８００の解錠処理がまだ完了しておらず、インターフェース装置３００には認証成功結果のみが記憶されている。この場合には、インターフェース装置３００は、カードリーダ端末２００に対して、状態変更中（解錠中）であることを示す応答ＳＶ１を送信する。
【００２０】
カードリーダ端末２００は、状態変更中である旨の応答ＳＶ１を受信すると、図４に示すように、第２回目のスリープ状態に移行する。その後、カードリーダ端末２００は、タイマー２０６から発生するタイマー割込ＴＰ２に応じて、第２回目のスリープ状態から通常状態に一時的に移行し、インターフェース装置３００に対して第２回目のポーリングＰＬ２を行う。この際、上位ホスト装置４００の電気錠付き扉８００の解錠処理が依然として完了しておらず、インターフェース装置３００には認証成功結果のみが記憶されている。従って、インターフェース装置３００は、カードリーダ端末２００に対して、状態変更中（解錠中）であることを示す応答ＳＶ２を送信する。
【００２１】
カードリーダ端末２００は、状態変更中である旨の応答ＳＶ２を受信すると、第３回目のスリープ状態に移行する。一方、上位ホスト装置４００は、電気錠付き扉８００の解錠処理を完了し、イベントＥ４４０において電気錠付き扉８００が解錠状態である作動状態を反映する。その後、上位ホスト装置４００は、インターフェース装置３００に対して、状態変更結果ＴＣ２（解錠状態）を送信する。インターフェース装置３００は、イベントＥ３３０において、状態変更結果ＴＣ２を記憶する。
【００２２】
カードリーダ端末２００は、タイマー２０６から発生するタイマー割込ＴＰ３に応じて、第３回目のスリープ状態から通常状態に一時的に移行し、インターフェース装置３００に対して第３回目のポーリングＰＬ３を行う。この際、インターフェース装置３００には認証成功結果ＴＶ１及び状態変更結果ＴＣ２が記憶されている。この場合には、インターフェース装置３００は、カードリーダ端末２００に対して認証成功結果ＴＶ１を送信する。
【００２３】
カードリーダ端末２００は、認証成功結果ＴＶ１を受信すると、イベントＥ２３０において、解錠状態を反映するように解錠ランプ２３０（図１）を点灯する。これにより、カードの認証処理が終了し、カードの利用者は電気錠付き扉８００を開けることができる。
【００２４】
なお、カードデータＴＤ１の認証結果が認証失敗である場合には、上位ホスト装置４００は、イベントＥ４２０の後に認証失敗結果をインターフェース装置３００に送信する。インターフェース装置３００は、認証失敗結果を記憶し、カードリーダ端末２００からのポーリングを受けたときに認証失敗結果をカードリーダ端末２００に送信する。
【００２５】
図３及び図４において、上位ホスト装置４００がインターフェース装置３００からカードデータＴＤ１を受信した時刻は、時刻ｔ０である。なお、カードリーダ端末２００がカード１００からカードデータＴＤ１を受信する時間及びインターフェース装置３００がカードリーダ端末２００からカードデータＴＤ１を受信する時間を考慮しなければ、利用者がカード１００をカードリーダ端末２００にかざした時刻を時刻ｔ０と見なしてもよい。第１回目のポーリングＰＬ１が行われた時刻は、時刻ｔ１である。第２回目のポーリングＰＬ２が行われた時刻は、時刻ｔ２である。上位ホスト装置４００が状態変更結果ＴＣ２をインターフェース装置３００に送信した時刻は、時刻ｔ３である。なお、一般的に、カードデータの認証結果が認証成功で解錠処理が行われると、上位ホスト装置４００によって電気錠付き扉８００の作動状態が変更される時刻は、時刻ｔ３である。時刻ｔ３は、無線カードリーダシステムの構成や種類等によって異なる。
【００２６】
図５は、カードリーダ端末２００のポーリングの回数と、カードデータの認証結果（認証成功結果／認証失敗結果）の取得回数との関係を示す説明図である。取得回数とは、一定時間内に複数のカード１００を１枚ずつカードリーダ端末２００に一回かざして認証結果を取得できた回数である。図５の例では、ポーリングは、１００ミリ秒毎に行われる。図５において、ポーリングの回数が７回、１６回、２４回のときにそれぞれ認証結果取得回数の極大点が現れる。ポーリング７回で認証結果を取得できた場合は、認証結果が認証失敗であり電気錠付き扉８００が解錠されない場合、若しくは、認証結果が認証成功であるが電気錠付き扉８００が既に解錠済みの場合が考えられる。ポーリング１６回で認証結果を取得できた場合は、認証結果が認証成功であり電気錠付き扉８００の解錠処理が行われていた場合が考えられる。ポーリング２４回で認証結果を取得できた場合は、認証結果が認証成功であるが電気錠付き扉８００の解錠処理が順調に行われなかった場合が考えられる。
【００２７】
図５から分かるように、ポーリング１６回の場合の認証結果取得回数が一番多い。言い換えると、カードデータの認証結果が認証成功で解錠処理が行われていれば、カード１００をカードリーダ端末２００にかざしてから電気錠付き扉８００が解錠するまで、すなわち図３及び図４に示す時刻ｔ０から時刻ｔ３までには、１．６秒（１００ミリ秒×１６回）の時間が必要である。従って、一般的には、利用者はカード１００をカードリーダ端末２００にかざしてから電気錠付き扉８００が解錠するまで無意識的に１．６秒待っているので、利用者は１．６秒以内の時間待つことに違和感がないと思われる。一方、利用者はカード１００をカードリーダ端末２００にかざしてから電気錠付き扉８００が解錠するまで１．６秒よりも長い時間待つと、違和感が生じてしまうと思われる。従って、カードリーダ端末２００は、時刻ｔ３に対応する時刻（第１時刻）の前にポーリングの頻度を多少減らしても、利用者に違和感を生じさせずにカードリーダ端末２００の電力消費量を削減できる。
【００２８】
図６は、カードリーダ端末２００のポーリングの時刻を例示する説明図であり、図５に示すポーリングの回数を時間軸に対応した図である。図６において、太線はポーリングを示している。図６に示す時刻ｔ０〜時刻ｔ３は、図３及び図４に示す時刻ｔ０〜時刻ｔ３である。
【００２９】
図６の例では、時刻ｔ３に対応する第１時刻ｔｐよりも前の期間は、状態変更前期間Ｔａである。第１時刻ｔｐよりも後の期間は、状態変更後期間Ｔｂである。状態変更前期間Ｔａにおけるポーリングの頻度は、状態変更後期間Ｔｂにおけるポーリングの頻度よりも低い。状態変更前期間Ｔａにおいて、カードリーダ端末２００は、二つのポーリングの間にスリープ状態に移行するので、カードリーダ端末２００の電力消費量を削減できる。また、状態変更前期間Ｔａは、利用者がカード１００をカードリーダ端末２００にかざしてから無意識的に待っている期間であるので、状態変更前期間Ｔａにおいてポーリングの頻度を減らしても利用者に違和感が生じる可能性が小さい。状態変更前期間Ｔａにおいては、時刻ｔ１に第１回目のポーリングＰＬ１が行われ、時刻ｔ２に第２回目のポーリングＰＬ２が行われる。また、第１時刻ｔｐには、第３回目のポーリングＰＬ３が行われる。ここで、時刻ｔ１は、時刻ｔ０から時刻ｔｐまでの期間、すなわち状態変更前期間Ｔａの中点となる時刻に設定されることが好ましい。時刻ｔ２は、時刻ｔ１から第１時刻ｔｐまでの期間の中点となる時刻に設定されることが好ましい。図５を参照すると、時刻ｔ１及び第１時刻ｔｐのそれぞれと対応する認証結果取得回数が０回よりも多いので、時刻ｔ１及び第１時刻ｔｐのそれぞれにポーリングＰＬ１，ＰＬ３を行うと認証結果を取得できる確率を高めることができる。なお、状態変更前期間Ｔａにおいて、カードリーダ端末２００は、ポーリングを行わなくてもよく、ポーリングを一回のみ行ってもよい。
【００３０】
以上説明したように、第１実施形態では、上位ホスト装置４００によって電気錠付き扉８００の作動状態が変更される時刻ｔ３に対応する第１時刻ｔｐよりも前の状態変更前期間Ｔａにおけるポーリングの頻度は、第１時刻ｔｐよりも後の状態変更後期間Ｔｂにおけるポーリングの頻度よりも低い。カードリーダ端末２００は、二つのポーリングの間に通常状態よりも電力消費量が小さなスリープ状態に移行するので、カードリーダ端末２００の電力消費量を削減できる。更に、利用者は、カード１００をカードリーダ端末２００にかざしてから時刻ｔ３まで待つことに違和感を生じないので、時刻ｔ３に対応する第１時刻ｔｐよりも前の状態変更前期間Ｔａにおいてポーリングの頻度を減少しても、利用者に違和感を生じさせる可能性が小さい。
【００３１】
・第２実施形態：
図７は、本発明の第２実施形態におけるカードリーダ端末２００のポーリングの時刻を例示する説明図であり、図６に対応する図である。図７は、図６に示す第１実施形態に比べて、第１時刻ｔｐの後のポーリングの回数が減少している。図５に参照すると、ポーリングの回数が２０回から２３回の場合、及び、２８回から３０回の場合には、認証結果取得回数が０回である。従って、図７では、これらの回数に対応する時刻には、カードリーダ端末２００はポーリングを行わず、スリープ状態に移行する。こうすれば、カードリーダ端末２００の電力消費量を更に節約できる。
【００３２】
第２実施形態においても、状態変更前期間Ｔａにおけるポーリングの頻度は、状態変更後期間Ｔｂにおけるポーリングの頻度よりも低いので、利用者に違和感を生じさせずにカードリーダ端末２００の電力消費量を削減できる。
【００３３】
なお、以上の実施形態では、無線カードリーダシステム９００は電気錠付き扉８００の解錠／施錠に利用されているが、その代わりに、電子機器や金庫等の他の種類の対象装置の使用許可／禁止等に利用されてもよい。後者の場合には、対象装置の使用許可と使用禁止が作動状態に相当する。
【００３４】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３５】
１００…カード、２００…カードリーダ端末、２０１…読取部、２０２…制御部、２０４…通信部、２０５…電池、２０６…タイマー、２１０…カードリーダケース、２２０…施錠ランプ、２３０…解錠ランプ、２４０…起動スイッチ、３００…インターフェース装置、３０１…第１通信部、３０２…制御部、３０３…記憶部、３０４…第２通信部、４００…上位ホスト装置、４０１…通信部、４０２…制御部、４０３…認証部、８００…電気錠付き扉、９００…無線カードリーダシステム、ＲＡ…読取領域、Ｗ…壁
【図１】
2019179403.tif 000003
【図２】
2019179403.tif 000004
【図３】
2019179403.tif 000005
【図４】
2019179403.tif 000006
【図５】
2019179403.tif 000007
【図６】
2019179403.tif 000008
【図７】
2019179403.tif 000009